Podtech/llm-jp-corpus-v4-ja_patent huggingface dataset:
(57)【要約】      （修正有）【課題】骨の折れる作業のだいこんおろしを楽に、手間もいらずにおろすことができ、邪魔になることもなく収納できる竹製大根おろし器専用のおろし受皿を提供する。【解決手段】直方体形状の竹製大根おろし器用竹の受け皿の片方の側面を開けることにより、容易に使用後の竹製大根おろし器を差し込み収納、保管でき、且つおろしたものがこの開けた部分より容易にとりだすことが出来るようにして専用竹おろし受け皿を形成する。【選択図】図１０
0003175468.tif 000002
【実用新案登録請求の範囲】
【請求項１】
竹製大根おろし器用竹の受け皿の片方を開けることにより、容易におろしたものが取り出すことができる専用竹おろし受け皿。
【請求項２】
この開けたスペースより、容易に使用後の竹製大根おろし器を差し込み収納、保管できる専用竹おろし受け皿。
【考案の詳細な説明】
【技術分野】
【０００１】本考案は、竹製大根おろし器の受け皿に関するものである。
【背景技術】
【０００２】調理用おろし、特に大根おろしはどんぶり、皿、ボール等の上でおろしていた。不安定でおろしずらく、散らばってしまい集めずらく、大根おろし器自体も大きいのでその受け皿は、当然台所で場所もとっていた。
【考案の概要】
【考案が解決しようとする課題】
【０００３】台所で専用の受け皿、大根おろし器はスペースも必要とするし、さらに素材の違う道具類は乾燥度が違うので扱いにくい。その点、竹製大根おろし器専用の専用竹受け皿は前述の欠点を解決しようとするものである。
【課題を解決するための手段】
【０００４】本考案は、竹製大根おろし器が、受け台として下ろす際に安定するように、さらに受け皿としておろしたものが、ちらばらなく、そして取り出しやすくなるよう、且つ、収納可能になるように微妙に片面を開けたことである。
【考案の効果】
【０００５】上述の様に、本考案の専用竹おろし受け皿を使っての大根おろしは、片方が開いているのでおろしたものがスムースに取り出しやすく、且つ、使用後はこの受け皿の片面に差し込むことにより収納スペースをとることなく保管できる。
【問題を解決するための形態】
【０００６】竹の大根おろし器のサイズにぴったり合うように作った専用の竹の受け皿の片方を、この竹の大根おろし器が入る幅に穴を開け自由に差し込める形態、下ろしたものをひっくり返して取り出すことなく、斜めにするとスムースに流れ落ちてくる形態を特徴とする。
【考案の効果】
【０００７】上述のように、本考案の専用竹受け皿は、今まで野菜類、特に大根おろしの際の、作業の不安定さ、面倒くささを解消し、この大きさの大根おろし器を中に収納できる省スペース台所調理道具となる。
【図面の簡単な説明】
【０００８】
【図１】本考案の正面図である。
【図２】本考案の平面図である。
【図３】本考案の底面図である。
【図４】本考案の右側面図である。
【図５】本考案の左側面図である。
【図６】本考案のＡ−Ａ線断面図である。
【図７】本考案の参考斜視図である。
【図８】本考案の仕様例図大根おろし器を乗せた図である。
【図９】本考案の仕様例図大根おろし器を入れた図である。
【図１０】本考案の仕様例図途中まで入れた状態の図である。
【図１】
0003175468.tif 000003
【図２】
0003175468.tif 000004
【図３】
0003175468.tif 000005
【図４】
0003175468.tif 000006
【図５】
0003175468.tif 000007
【図６】
0003175468.tif 000008
【図７】
0003175468.tif 000009
【図８】
0003175468.tif 000010
【図９】
0003175468.tif 000011
【図１０】
0003175468.tif 000012
【手続補正書】
【提出日】平成24年2月16日(2012.2.16)
【手続補正１】
【補正対象書類名】実用新案登録請求の範囲
【補正対象項目名】全文
【補正方法】変更
【補正の内容】
【実用新案登録請求の範囲】
【請求項１】
直方体形状の竹製大根おろし器用竹の受け皿の片方の側面を開けることにより、容易に使用後の竹製大根おろし器を差し込み収納、保管でき、且つおろしたものがこの開けた部分より容易にとりだすことが出来ることを特徴とする専用竹おろし受け皿。
【手続補正２】
【補正対象書類名】明細書
【補正対象項目名】全文
【補正方法】変更
【補正の内容】
【考案の詳細な説明】
【技術分野】
【０００１】  本考案は、竹製大根おろし器の受け皿に関するものである。
【背景技術】
【０００２】  調理用おろし、特に大根おろしはどんぶり、皿、ボール等の上でおろしていた。不安定でおろしずらく、散らばってしまい集めずらく、大根おろし器自体も大きいのでその受け皿は、当然台所で場所もとっていた。
【考案の概要】
【考案が解決しようとする課題】
【０００３】  台所で専用の受け皿、大根おろし器はスペースも必要とするし、さらに素材の違う道具類は乾燥度が違うので扱いにくい。その点、竹製大根おろし器専用の専用竹受け皿は前述の欠点を解決しようとするものである。
【課題を解決するための手段】
【０００４】  本考案は、竹製大根おろし器が、受け台として下ろす際に安定するように、さらに受け皿としておろしたものが、ちらばらなく、そして取り出しやすくなるよう、且つ、収納可能になるように微妙に片面を開けたことである。
【考案の効果】
【０００５】上述の様に、本考案の専用竹おろし受け皿を使っての大根おろしは、片方が開いているのでおろしたものがスムースに取り出しやすく、且つ、使用後はこの受け皿の片面に差し込むことにより収納スペースをとることなく保管できる。
【問題を解決するための形態】
【０００６】竹の大根おろし器のサイズにぴったり合うように作った専用の竹の受け皿の片方を、この竹の大根おろし器が入る幅に穴を開け自由に差し込める形態、下ろしたものをひっくり返して取り出すことなく、斜めにするとスムースに流れ落ちてくる形態を特徴とする。
【考案の効果】
【０００７】上述のように、本考案の専用竹受け皿は、今まで野菜類、特に大根おろしの際の、作業の不安定さ、面倒くささを解消し、この大きさの大根おろし器を中に収納できる省スペース台所調理道具となる。
【図面の簡単な説明】
【０００８】
【図１】本考案の正面図である。
【図２】本考案の平面図である。
【図３】本考案の底面図である。
【図４】本考案の右側面図である。
【図５】本考案の左側面図である。
【図６】本考案のＡ−Ａ線断面図である。
【図７】本考案の参考斜視図である。
【図８】本考案の仕様例図大根おろし器を乗せた図である。
【図９】本考案の仕様例図大根おろし器を入れた図である。
【図１０】本考案の仕様例図途中まで大根おろし器を入れた状態の図である。
(57)【要約】      （修正有）【課題】円滑にスマートフォンを保持、携帯、操作できるスマートフォンケースを提供する。【解決手段】スマートフォンケースにベルクロ３を付け、ベルクロにより衣類等にスマートフォンケースを装着させスマートフォンを保持する。形状上、衣類のポケットなどへの収納が困難なスマートフォンの代りにベルクロにより衣類等に装着させることで、円滑にスマートフォンを保持し、携帯できる。また、スマートフォンケースをポケット等に収納することなくスマートフォンの操作の円滑をも可能にする。【選択図】図２
0003175478.tif 000002
【実用新案登録請求の範囲】
【請求項１】
スマートフォンケースにベルクロを付けたことを特徴とする衣類等装着型ベルクロ付きスマートフォンケース。
【請求項２】
前記ベルクロは、スマートフォンケースに付着させることによりスマートフォンの衣類等への装着が容易にできることを特徴とする請求項１記載の衣類等装着型ベルクロ付きスマートフォンケース。
【請求項３】
前記ベルクロは、スマートフォンケースに付着させることによりスマートフォンの衣類等への装着が容易にできることからスマートフォンの操作が容易にできることを特徴とする請求項１記載の衣類等装着型ベルクロ付きスマートフォンケース。
【考案の詳細な説明】
【技術分野】
【０００１】  この考案は、衣類等他の素材にベルクロによってスマートフォンを装着させるスマートフォンケースに関するものである。
【背景技術】
【０００２】  従来、スマートフォンケースは、落下衝撃などからスマートフォンを保護するためのものである。
【先行技術文献】
【特許文献】
【０００３】
【特許文献１】  実願２０１１−３５７６
【考案の概要】
【考案が解決しようとする課題】
【０００４】  形状上、スマートフォンは衣類のポケットなどへの収納が困難である。従来のスマートフォンケースはこの問題点を解決できていなかった。この考案は、スマートフォンを衣類等に装着させる機能を使い、円滑にスマートフォンを保持し、携帯、操作できることを課題とする。
【課題を解決するための手段】
【０００５】  以上の課題を解決するため、第一考案はスマートフォンケースにベルクロを付ける。
第二考案は、ベルクロをスマートフォンケースに付着することにより、衣類等に装着させ、ポケットなどへ収納することなくスマートフォンを保持し、携帯できるようにする。
第三考案は、スマートフォンケースをポケット等衣類の露出面等に装着、収納することによりスマートフォンの操作を円滑にする。
【考案の効果】
【０００６】  形状上、衣類のポケットなどへの収納が困難なスマートフォンの代りにベルクロにより衣類等に装着させることで、円滑にスマートフォンを保持し、携帯できる。
また、スマートフォンケースをポケット等に収納することなくスマートフォンの操作の円滑をも可能にする。
【図面の簡単な説明】
【０００７】
【図１】スマートフォンケース及びスマートフォン本体。
【図２】スマートフォンケースにベルクロを付着する図である。
【符号の説明】
【０００８】１  スマートフォンケース（裏面）
２  スマートフォン本体
３  ベルクロ
４  スマートフォンケースのベルクロ付着面
【図１】
0003175478.tif 000003
【図２】
0003175478.tif 000004
(57)【要約】      （修正有）【課題】炊飯器の保温機能に甘酒が発酵する程度の低温保温機能を付属させ、甘酒も造れる炊飯器を提供する。【解決手段】炊飯器にご飯を保温する保温機能と、甘酒の発酵する温度約６０℃を７時間程度保つ保温機能を付属させ、炊飯器の蓋に甘酒発酵ボタン１をつける。使用に当たっては、やわらかめに炊きあげたご飯２を別鍋で６０℃くらいに冷まし、麹３と混ぜ、炊飯器に戻し甘酒発酵ボタン１を押す。【選択図】図２
0003175473.tif 000002
【実用新案登録請求の範囲】
【請求項１】
炊飯器に甘酒の発酵する温度の保温機能とその温度をある時間制御するタイマー機能を付属させ、その機能に連動して働く甘酒発酵ボタンを炊飯器の蓋に取り付ける。
【考案の詳細な説明】
【技術分野】
【０００１】本考案は、炊飯器の保温機能に甘酒が発酵する程度の低温保温機能を付属させ、甘酒も造れる炊飯器に関するものである。
【背景技術】
【０００２】手作りの甘酒を造る場合、炬燵で温めたり、従来の炊飯器の保温機能では温度が高すぎるので、蓋を開けたり、スイッチを切ったり手間がかかっていた。
【考案の概要】
【考案が解決しようとする課題】
【０００３】炊飯器に甘酒の発酵するくらいの温度で７時間程度保温する機能をつける。
【課題を解決するための手段】
【０００４】炊飯器にご飯を保温する保温機能と、甘酒の発酵する温度役６０℃を７時間程度保つ保温機能を付属させる。
【考案の効果】
【０００５】簡単に手作りの、栄養豊富な甘酒を造ることができる。
【図面の簡単な説明】
【０００６】
【図１】炊飯器の蓋に甘酒発酵ボタンをつける。
【考案を実施するための形態】
【０００７】炊飯器の保温機能に、ご飯の保温をする温度設定と、７時間で切れる甘酒の発酵する温度設定を設け、炊飯器の蓋に甘酒発酵ボタンをつける。
【実施例】
【０００８】以下、添付図面に従って、一実施例を説明する。１は、蓋につけられた甘酒発酵ボタン。【０００９】２やわらかめに炊きあげたご飯を別鍋で６０℃くらいに冷まし、３麹と混ぜ炊飯器に戻し１の甘酒発酵ボタンを押す。
【符号の説明】
【００１０】１  甘酒発酵ボタン
【図１】
0003175473.tif 000003
【図２】
0003175473.tif 000004
【手続補正書】
【提出日】平成24年3月6日(2012.3.6)
【手続補正１】
【補正対象書類名】明細書
【補正対象項目名】０００６
【補正方法】変更
【補正の内容】
【０００６】
【図１】炊飯器の蓋に甘酒発酵ボタンをつける。
【図２】１の炊飯器に２の柔らかく炊いたご飯と３の麹を入れて、混ぜ、甘酒発酵ボタンを押し甘酒を造ろうとしているところである。
【手続補正２】
【補正対象書類名】明細書
【補正対象項目名】００１０
【補正方法】変更
【補正の内容】
【００１０】１甘酒発酵ボタン
２柔らかく炊いたご飯
３麹
(57)【要約】      （修正有）【課題】雨の日の外出に、着物の裾を乱さずに水濡れを防ぐパンツを提供する。【解決手段】一対の裾部を備え、裾部間を繋ぐ部分の裾線を直線形状とし、パンツ本体を上部よりも下部を広くする。【選択図】図２
0003175457.tif 000002
【実用新案登録請求の範囲】
【請求項１】
着物の裾を乱すことなく、持ち上げた状態にするための裾の直線的な形状。
【請求項２】
和装雨コートの下にかさばらずに着用出来るよう工夫した両脇のライン。
【考案の詳細な説明】
【技術分野】
【０００１】本考案は、着物の裾を水濡れから守るために、パンツ式に穿いて裾を直線的にすっぽりと覆ったものである。
【背景技術】
【０００２】従来のものは、裾部分がズボンのような形状で、中の着物の裾が大きく乱れるものであり、着物の裾を乱さないように直線的になっているものはなかった。
【考案の概要】
【考案が解決しようとする課題】
【０００３】雨の日は和装コートを着用しても、着物の裾が雨水の跳ね返りで濡れてしまうという問題点があった。
【課題を解決するための手段】
【０００４】着物の裾を水濡れから守るために、着物の裾を乱すことなくすっぽりと覆える直線的な形状のパンツにして、雨水の跳ね返りを防ぐようにした。
【考案の効果】
【０００５】和装雨コートのスタイルを崩すことなく、手軽にパンツを穿くことにより着物の裾を水濡れから守り、着物の裾を持ち上げた状態で歩くことが出来るので足さばきも良く、雨の日の着物の着用を安全かつ楽にした。
【図面の簡単な説明】
【０００６】
【図１】本考案の平面図である。
【図２】本考案の使用状況をしめす平面図である。
【符号の説明】
【０００７】１  パンツ本体
２  ウエスト部
３  脇ライン
４  裾部
５  裾線
６  帯
７  着物下半身
８  足首
９  足袋
【図１】
0003175457.tif 000003
【図２】
0003175457.tif 000004
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
・着物の裾を乱すことなく持ち上げた状態にするために、パンツの裾線を直線にした形状の、着物の裾を水濡れから防ぐパンツ。
【請求項２】
・請求項１にて記載したパンツの裾を直線にした形状で歩き易くするために、裾の幅を広く取りかさばらずに着用出来るよう工夫した両脇のラインで、上部は狭く下部は歩幅分を含めた幅に広げ、脇縫いは裾から膝下までにした、着物の裾を水濡れから防ぐパンツ。
【手続補正書】
【提出日】平成24年2月20日(2012.2.20)
【手続補正１】
【補正対象書類名】実用新案登録請求の範囲
【補正対象項目名】全文
【補正方法】変更
【補正の内容】
【実用新案登録請求の範囲】
【請求項１】
着物の上から着用し着物の裾を乱すことなく持ち上げた状態にするために、一対の裾部を備え、裾部間を繋ぐ部分の裾線を直線形状としたことを特徴とする着物の裾を水濡れから防ぐパンツ。
【請求項２】
請求項１記載のパンツであって、パンツ本体を上部よりも下部を広くしたことを特徴とする着物の裾を水濡れから防ぐパンツ。
(57)【要約】      （修正有）【課題】紙からなる包装用容器に用いられる仕切りにおいて、加工容易性に優れ、組み立て可能な形状が増えることで表現性に優れた紙管容器を提供する。【解決手段】紙からなる包装用容器に菓子類などの小物商品をバラ詰めする際に組んで間仕切りとして用いられる仕切板において、仕切板に入れる切り込みの形状を扇形にする。これにより、仕切板を組む際、差し込み口を傷めることなく容易に差し込むことが出来、組んだ後はロックがかかって仕切板が抜け難く、組んだ仕切板を解く時は容易に外すことが可能となる。【選択図】図６
0003175459.tif 000002
【実用新案登録請求の範囲】
【請求項１】
紙からなる包装用容器に菓子類などの小物商品をバラ詰めする際に組んで間仕切りとして用いられる仕切板において、仕切板を組む際、差し込み口を傷めることなく容易に差し込むことが出来、組んだ後はロックがかかって仕切板が抜け難く、組んだ仕切板を解く時は容易に外すことが可能となる仕切板。
【考案の詳細な説明】
【技術分野】
【０００１】  本考案は紙からなる包装用容器の間仕切りに用いられる仕切りに関する。
【背景技術】
【０００２】  従来の紙からなる包装用容器において、菓子類など小物商品を容器にバラ詰めする際には、中の商品が混ざったり片寄ったりしないよう間仕切りとして、又、容器を持ち運ぶ際に中の商品が移動して傷つかないようストッパーとして、仕切りが用いられる。仕切り板を格子状に組んで使用される組み仕切りは、切り込みの位置や板紙の幅や長さを変える事によって、容易に容器の形状・大きさに対応することが出来るため、菓子箱などに広く用いられる。
【考案の概要】
【考案が解決しようとする課題】
【０００３】  仕切りを組む際に使用される板紙（以下、仕切板という）は、材質がダンボール紙のような厚手の場合は一重で使われるが、コートボール紙等の薄手の板紙を使用する場合、板紙を二つ折りにして１枚の仕切板として用いられる。仕切板の厚みに応じて、差し込み箇所の切り込みの幅は調整されるが、切り込みを入れただけでは仕切りを組んだ時に仕切り板が抜けやすいという欠点がある。また、抜けないように差し込み口にストッパーとして返りを付けた場合、仕切板を組む際に差し込み難く、返りの部分が傷みやすい欠点がある。
【課題を解決するための手段】
【０００４】  二つ折りにして使用される仕切板において、仕切板に入れる切り込みの形状を変えることで、差し込み口にストッパーとしての返りを付けることなく、ふたつ折りにした仕切板が広がる力を利用してロックがかかるようにする。
【考案の効果】
【０００５】  これにより、仕切板を組む際、差し込み口を傷めることなく容易に差し込むことが出来るようになる。又、組んだ後はロックがかかり、仕切板が抜け難く、その上、組んだ仕切板を解く時は容易に外すことが出来るようになる。又、ふたつ折りにした板紙が広がる力を利用している為、仕切板は容器の底面に対して斜めに固定されており、切り込み部分の扇型の形状を調整することで、仕切板の角度に変化を持たせることが可能となる。
【図面の簡単な説明】
【０００６】
【図１】従来の仕切板の展開図
【図２】従来の仕切板を組んだ時の形状を示す図
【図３】切り込み部分に返しを設けた仕切板の展開図
【図４】切り込み部分に返しを設けた仕切板を組んだ時の形状を示す図
【図５】本考案の仕切板の形状を示す展開図
【図６】本考案の仕切板を組んだ時の形状を示す図
【図１】
0003175459.tif 000003
【図２】
0003175459.tif 000004
【図３】
0003175459.tif 000005
【図４】
0003175459.tif 000006
【図５】
0003175459.tif 000007
【図６】
0003175459.tif 000008
【手続補正書】
【提出日】平成24年2月14日(2012.2.14)
【手続補正２】
【補正対象書類名】実用新案登録請求の範囲
【補正対象項目名】全文
【補正方法】変更
【補正の内容】
【実用新案登録請求の範囲】
【請求項１】
紙からなる包装用容器に菓子類などの小物商品をバラ詰めする際に組んで間仕切りとして用いられる仕切板において、仕切板に入れる切り込みの形状を扇形にすることで、仕切板を組む際、差し込み口を傷めることなく容易に差し込むことが出来、組んだ後はロックがかかって仕切板が抜け難く、組んだ仕切板を解く時は容易に外すことが可能となる仕切板。
(57)【要約】      （修正有）【課題】頭髪に染毛する際、染料が頭皮に付着せず、効率的に染料を塗布できる染毛櫛を提供する。【解決手段】長い櫛歯と短い櫛歯とで形成した櫛の、櫛歯と柄の間に指当て箇所を設ける。長い櫛歯の先を杓文字状に形成し、その部分には染料を弾くコーティング加工を施す。【選択図】図１
0003175914.tif 000002
【実用新案登録請求の範囲】
【請求項１】
長い櫛歯と短い櫛歯とで形成した櫛の、櫛歯と柄の間に指当て箇所を設けたことを特徴とする染毛櫛。
【請求項２】
長い櫛歯の先は杓文字状形成であることを特徴とする請求項１に記載の染毛櫛。
【請求項３】
杓文字状に形成した部分に染料を弾くコーティング加工を施してあることを特徴とする請求項１または２記載の染毛櫛。
【考案の詳細な説明】
【技術分野】
【０００１】
本考案は、理容美容業で頭髪の染毛作業を早くスムースにするために使用する染毛櫛。
【背景技術】
【０００２】
従来理容美容業で染毛をする際、櫛の種類形は違っても、一般的に見られる、歯先が一定した櫛の歯間に、染料を含ませて頭髪の塗布染毛をしていたが、ヘアマニキュアなど特殊な染料では、一旦皮膚に染料が付くと皮膚が染まり、何で洗っても簡単には色が取れないので、染料を含んだ櫛の歯先が皮膚に触れないように注意しながら塗布するのだが、従来の櫛での染毛は、いくら注意して塗布しても、ついつい染料を含んだ櫛歯が頭皮に触れ皮膚に染まってしまった、そのためどうしても頭皮より離れた部分から塗布してしまいがちになり、プロとしては染まりムラの無いように成るべく頭皮の近くまで、塗布したいのであるが、従来の櫛での塗布は注意しても、皮膚に付着てしまったり髪の染まりもムラが多く出たのが現状である、しかし従来の櫛にはこのヘアマニキュア系の染料に適した櫛は現在のところ、これと言って見つからず、ましてこの作業に使用できるような櫛では、指を当てる部分が付いた櫛などは全く無い、塗布するさいは染料を含ませる櫛歯の部分に指を当て作業をするので指にも染料が付着したり、櫛歯の損傷にもなるなど、従来の櫛では大変困難な作業である。
【考案の概要】
【考案が解決しようとする課題】
【０００３】
従来頭髪の染毛は、櫛の種類、形は違っても一般的に見られるそれなりの櫛でおこなっていたが、これらの櫛による作業ではどうしても染料が頭皮に付着しやすく、皮膚に一旦染料が付くと皮膚が染まり色が取れにくく、この付着部分を取り除くためには余計な時間がかかる、この付着を無理に取り除こうとすると皮膚を傷つける原因にもなるので、技術者の感と技術で染まりむらが無いのは勿論の事、頭皮にも染料が付着しないように注意しながら、なるべく頭皮のちかくまで塗布していたため、手間も時間もかかり技術的にも難しい工程であった。
そこで、本考案は長短の櫛歯に特徴をもつ櫛で、短い櫛歯部分に染料を含ませて、長い櫛歯の先を頭皮に軽くあて、長い櫛歯の効果を利用して頭髪に塗布することにより、染料を含んだ短い櫛歯は皮膚にまでとどくことはなく、よって皮膚が染まることもなく髪の染毛部と皮膚との間が一定に保たれ綺麗な仕上がりになる。
また従来この染毛に使用できる櫛には指を当てる箇所が無いため、どうしても櫛歯の部分に指を当てて作業するので、指を当てる箇所も合わせて設けた事で解消でき、従来の欠点を解決するために考案した染毛櫛である。
【課題を解決するための手段】
【０００４】
以上の課題を解決するための請求項１の考案は、長い櫛歯と短い櫛歯と指当て箇所とで形成し、図１または図２に示す、長い櫛歯と長い櫛歯の間を１cmの間隔とし、その櫛歯の間に短い櫛歯３を、８本で形成し、長い櫛歯は短い櫛歯より４mmほど長くし（長い櫛歯の先は杓文字状でコーティング加工した部分）たことを特徴とする櫛。
【０００５】
また請求項２の考案は、前記の長い櫛歯のみ、櫛歯の先部、図３の２を杓文字状に形成したことにより染毛時に櫛が少し傾いても、染料を含んだ櫛歯３と皮膚との間を保つ効果と、歯先に丸みがあるので皮膚に接した際に安全で皮膚えの刺激が少ない効果もある、ことを特徴とする。
【０００６】
なお請求項３には請求項２に記載の、長い櫛歯の先を杓文字状に形成した部分に、染料
を弾くコーティング加工を施してあることで、この櫛歯の先が皮膚に当たっても櫛歯先には染料が付いていないので皮膚が染まることはない。
以上これらの特徴をもった考案のもとに本課題を解決することができる。
【考案の効果】
【０００７】
第一考案、または第二、第三考案の効果により、３の短い櫛歯に染料を含ませて、長い櫛歯の先のコーティング加工を施した２部分を軽く頭皮に当たる程度で頭髪に染毛する（この時２の櫛歯の先が皮膚に当たってもコーティング加工効果で皮膚には染まらない）ことにより、染料を含んだ３の櫛歯は短いため長い１の櫛歯とは、長短の段差があり染料を含んだ３の短い歯歯が染毛の役をするので染毛部と皮膚の間が保て、また杓文字状の効果により櫛が少し傾いても染料を含んだ３の櫛歯と皮膚との間を保つこともできる、よって短い櫛歯３は頭皮に当たることがなく、杓文字状で丸みがあり皮膚に当たっても刺激を押さえる効果もある、以上の効果によりスムースに均一でムラなく安全に安定した塗布をする事が出来る、合わせて４の指当て箇所を櫛歯部と柄の間の設置により櫛歯の部分に指を当てる事が無いので、指に染料が付着したり、櫛歯を損傷する事もない。
以上の考案部分を効果的に使う事を実際の作業で、髪全体を効率良くスムースに無駄のない染毛作業の時間を短縮する事も実証ずみである。
【図面の簡単な説明】
【０００８】
【図１】本考案頭髪染毛櫛の斜視図
【図２】本考案頭髪染毛櫛全体の側面略図
【図３】図２のＡ−Ａ断面図
【考案を実施するための形態】
【０００９】
本考案の実施形態を、図１に示す頭髪染毛櫛の短い部分３の櫛歯より長くした、１の櫛歯を有する櫛で、長い櫛歯１の歯先、図２図３の櫛歯１の先を、杓文字状に形成し、その長い櫛歯の歯先、杓文字状部分には２染料を弾くコーティング加工を施し、この長い櫛歯を櫛の歯部分全体に１ｃｍの間隔で（間には短い３の櫛歯が入る）形成し長い櫛歯と長い櫛歯との間に染料を含ませる短い３の櫛歯を８本、長い櫛歯と櫛歯の間に形成し、考案の１の長い櫛歯は３の短い歯先より４ｍｍほど長く形成し、櫛の歯部分と柄５との間には４の指当て箇所を設ける。
【００１０】
「実施形態」
図１、図２の長い櫛歯１の先はすべて、杓文字状の形成でコーティング加工２を施した櫛歯であり、短い櫛歯はすべて染料を含む櫛歯３である、図３の櫛歯図は長い櫛歯先の杓文字状部２にコーティング加工をする位置を示している。
１と１との櫛歯間寸、と１の櫛歯寸は染毛用途により異なる。
【００１１】
これら櫛の材料は、合成樹脂、木材、金属、甲羅、角、などで形成可能である。
【符号の説明】
【００１２】
１  杓文字状に形成する長い櫛歯
２  コーティング加工を施した杓文字状部分
３  主として染料を含ませる短い櫛歯
４  指当て部分
５  柄
６ 断面
【図１】
0003175914.tif 000003
【図２】
0003175914.tif 000004
【図３】
0003175914.tif 000005
(57)【要約】      （修正有）【課題】部品の使用数を減らしコストを低下させ、しかも装置をシンプルにすることができる紙分離機構を提供する。【解決手段】紙分離機構１００は、自動紙送り装置中に使用し、本体部１０、キャリア部２０を備え、本体部１０には階段状紙分離構造１１を設置し、キャリア部２０は本体部１０一端から上方へと延伸して形成し、階段状紙分離構造１１の高低差により紙分離を行う。【選択図】図３
0003179572.tif 000002
【実用新案登録請求の範囲】
【請求項１】
紙分離機構は、通常、自動紙送り装置中に使用し、本体部、キャリア部を備え、
前記本体部には、階段状紙分離構造を設置し、
前記キャリア部は、前記本体部一端から上方へと延伸して形成し、
前記階段状紙分離構造の高低差により、紙が分離されることを特徴とする紙分離機構。
【請求項２】
前記階段状紙分離構造は、複数が等間隔に配列し、しかもノコギリ歯状の係合槽により構成することを特徴とする請求項１に記載の紙分離機構。
【考案の詳細な説明】
【技術分野】
【０００１】
本考案は自動紙送り装置中に使用する紙分離機構に関し、特に部品の使用数量を減らしコストを低下させ、装置をシンプルにすることができる紙分離機構に係る。
【背景技術】
【０００２】
図１、２に示すように、従来の紙分離機構は、紙分離摩擦片スタンド１０’、紙分離ゴム片２０’、紙分離ゴム片スポンジ３０’を備える。
【０００３】
紙分離摩擦片スタンド１０’には、開槽１１’を開設する。紙分離ゴム片２０’は、紙分離摩擦片スタンド１０’の開槽１１’に設置する。紙分離ゴム片２０’の頂点端には、階段状のゴム片２１’を設置する。紙分離ゴム片スポンジ３０’は、紙分離ゴム片２０’下方に設置する。
【０００４】
紙は、紙分離摩擦片スタンド１０’上に重ねる。紙が正方向の力を受け重ねた紙は座屈を生じ、紙分離機構に進入し紙は紙分離ゴム片２０’に接触し、しかも階段状ゴム片２１’により紙の分離が行われる。
【０００５】
しかし、上記した紙分離機構は、紙分離摩擦片スタンド１０’、紙分離ゴム片２０’、紙分離ゴム片スポンジ３０’により組成され部品が多く、コストが高い。
【考案の概要】
【考案が解決しようとする課題】
【０００６】
本考案の目的は、部品の使用数量を減らし、コストを低減させ、装置をシンプルにすることができる紙分離機構を提供することである。
【課題を解決するための手段】
【０００７】
上述の本考案の目的を達成するため、本考案は紙分離機構を提供する。紙分離機構は、通常、自動紙送り装置中に使用し、本体部、キャリア部を備え、該本体部には、階段状紙分離構造を設置し、該階段状紙分離構造は複数が等間隔に配列し、しかもノコギリ歯状の係合槽により構成し、該キャリア部は該本体部一端から上方へと延伸して形成し、該階段状紙分離構造の高低差により紙分離を行う。
【考案の効果】
【０００８】
本考案紙分離機構は単一の部品により、従来の技術の紙分離摩擦片スタンド、紙分離ゴム片、紙分離ゴム片スポンジなどの複雑な部品に置換でき、こうして、本考案紙分離機構は、部品の使用数を減らしコストを低減させ、しかも装置をシンプルにすることができる。
【図面の簡単な説明】
【０００９】
【図１】従来の紙分離機構の部分立体図である。
【図２】図１に示す紙分離機構の部分断面図である。
【図３】本考案紙分離機構の立体図である。
【図４】図３に示す紙分離機構の部分拡大図である。
【考案を実施するための形態】
【００１０】
本考案の技術内容、構造特徴、達成する目的を詳細に説明するため、以下に実施例を挙げ並びに図面を組み合わせて説明する。
【００１１】
図３、４に示すように、本考案紙分離機構１００は、通常、自動紙送り装置中に使用する。本考案紙分離機構１００の実施例は、本体部１０、キャリア部２０を備え、その材質はプラスチックである。
【００１２】
本体部１０には、階段状紙分離構造１１を設置する。本実施例中の階段状紙分離構造１１は複数が等間隔に配列し、しかもノコギリ歯状の係合槽１１１により構成する。キャリア部２０は本体部１０一端から上方へと延伸して形成する。
【００１３】
本考案紙分離機構１００の作動プロセスを以下に詳述する。図３、４に示すように紙をキャリア部２０上に置く。紙の下端は階段状紙分離構造１１の係合槽１１１上に接触する。紙は正方向の力を受ける。この正方向の力は紙取りローラー(図示なし)により提供する。紙は紙取りローラーとキャリア部２０との間に位置する。紙取りローラーが回転すると紙を座屈する。紙底部は階段状紙分離構造１１の係合槽１１１に接触し、しかも紙は階段状紙分離構造１１そのものの高低差により分離される。
【００１４】
具体的には、階段状紙分離構造１１は、その異なる傾斜度に従い、紙分離効果を高め、或いは低減させる。
【００１５】
上記のように、本考案紙分離機構１００が紙分離動作を行う時には、単一の部品により、従来の技術中の紙分離摩擦片スタンド１０’、紙分離ゴム片２０’、紙分離ゴム片スポンジ３０’などの複雑な部品に置換することができる。そのため、本考案紙分離機構１００は、部品の使用数を減らしコストを低減させ、しかも装置をシンプルにすることができる。
【符号の説明】
【００１６】
１００  紙分離機構
１０    本体部
１１    階段状紙分離構造
１１１  係合槽
２０    キャリア部
【図１】
0003179572.tif 000003
【図２】
0003179572.tif 000004
【図３】
0003179572.tif 000005
【図４】
0003179572.tif 000006
(57)【要約】      （修正有）【課題】清掃具を電動で振動させることにより効率的に微細凹部に入り込んだ汚れを機械的にかき出す舌電動清掃具を提供する。【解決手段】舌清掃部１を電動で振動させる電動振動体２を有する振動部に固着させることにより、手動よりも微細な振動をメラミン樹脂発泡体部に伝達させ、その振動により効率的に舌表面部の微細凹部に入り込んだ汚れをより深い範囲でかつ、細かい箇所まで短時間で機械的にかき出す機能を有する。【選択図】図２
0003179503.tif 000002
【実用新案登録請求の範囲】
【請求項１】
舌清掃部を舌表面部に接触させて舌表面部の微細凹部に入り込んだ汚れを電動で振動させることにより機械的にかき出す機能を有するものとしたことを特徴とする清掃具。
【考案の詳細な説明】
【技術分野】
【０００１】この考案は、清掃部を電動で振動させることによりが清掃を目的とする物質の表面部の微細凹部に入り込んだ機械的にかき出す舌電動清掃具に関するものである。
【背景技術】
【０００２】舌に付着した食物のカスや雑菌除去を目的とした舌歯面清掃商品がドラッグストアー等においても各種商品が販売されている。
【考案の概要】
【考案が解決しようとする課題】
【０００３】現状におけての舌清掃具は、手動の商品のみであった。本考案は舌清掃清掃具を電動で振動させることにより効率的に舌表面部の微細凹部に入り込んだ汚れを機械的にかき出す機能を有する清掃具を作ることを課題とした。
【課題を解決するための手段】
【０００４】本考案は舌清掃部を電動で振動させる振動体を有する振動部に固着させることにより、手動よりも微細な振動をメラミン樹脂発泡体部に伝達させ、その振動により効率的に舌表面部の微細凹部に入り込んだ汚れをより深い範囲でかつ、細かい箇所まで短時間で機械的にかき出す機能を有する清掃具を考えた。
【考案の効果】
【０００５】現状におけての舌清掃具は、手動の商品のみであったため一定の時間と労力を要し、かつ微細部において清掃効果があがらないことがあった。本考案は舌清掃部を電動で振動させることにより、手動よりも微細な振動を舌清掃部に伝達させ、その振動により効率的に舌表面部の微細凹部に入り込んだ汚れをより深い範囲でかつ、微細箇所まで短時間で機械的にかき出す清掃を可能にした。
【考案の実施するための形態】
以下、本考案の実施の形態について説明する。
（イ）、１．舌清掃部を２．電動で振動させる振動体を有する振動部に固着させる
【図面の簡単な説明】
【図１】本考案の正面図である。
【図２】本考案の側面図である。
【図３】本考案の平面図である。
【符号の説明】１  舌清掃部
２  電動振動体
【図１】
0003179503.tif 000003
【図２】
0003179503.tif 000004
【図３】
0003179503.tif 000005
【手続補正書】
【提出日】平成24年6月15日(2012.6.15)
【手続補正１】
【補正対象書類名】実用新案登録請求の範囲
【補正対象項目名】全文
【補正方法】変更
【補正の内容】
【実用新案登録請求の範囲】
【請求項１】
舌清掃ブラシ部を舌表面部に接触させて舌表面部の微細凹部に入り込んだ汚れを振動させて、舌部の汚れの流動化を引き起こす事により浮かせるために電動振動を舌ブラシ先端部を通じて舌表面に伝える構造でかつ、それをブラシ部によって機械的にかき出す機能を有するものとしたことを特徴とする舌電動清掃具。
【手続補正書】
【提出日】平成24年8月17日(2012.8.17)
【手続補正１】
【補正対象書類名】実用新案登録請求の範囲
【補正対象項目名】全文
【補正方法】変更
【補正の内容】
【実用新案登録請求の範囲】
【請求項１】
電動で振動させる振動体を有する振動部と、把持部とを有する本体と、振動部に固着可能な舌清掃部とを備えた舌電動清掃具。
(57)【要約】      （修正有）【課題】水道水を循環貯水し断水時に貯水水を飲水するタンクを提供する。【解決手段】本体筒１の上面に板２を張り板に穴を開けホースを取り付ける筒３を施工し本体底面に板４を張る、本体筒１に座５を付けネジを切りミニコック６を取り付ける。これを使用するときは上部の筒３の一方に蛇口からホースを結束金具で固定し一次側とし、もう一方の筒３にホースを結束金具で固定し、洗濯機や散水機等に接続し二次側とする、災害等で長期断水時には底部近傍にあるミニコック６より取水する。【選択図】図１
0003179501.tif 000002
【実用新案登録請求の範囲】
【請求項１】
室内外で水道水需要の有る場所であれば、簡便に設置、使用出来
筒状で強度が有り底部近傍に、コックの取り付けによりすぐに飲水出来る。
【考案の詳細な説明】
【技術分野】
【０００１】この実用新案は筒状のタンクに水道蛇口よりホースを接続し、タンクよりホースを洗濯機や散水機等に接続し水道水を循環貯水出来るものである。【０００２】従来は貯水利用や雨水利用のタンクだった。
【背景技術】従来はタンクに貯水し経年劣化した水を交換していた。
【先行技術文献】
【実用新案の概要】
【実用新案が解決しようとする課題】
【０００３】飲み水の確保に次のような欠点が有った。
従来は飲み水の確保のためペットボトルの買い置きやポリタンクに貯水していたが賞味期限等、経年劣化で飲み水の交換を必要としていた。
本実用新案はこのような手間を無くすために成された物である。
【課題を解決する手段】
【０００４】塩ビ筒（１）の上面に板（２）を溶接し、上部板に細い筒（３）を２本施工する、筒（１）の底面に板（４）を溶接する、筒（１）底部近傍に座（５）を付け、そこにミニバルブ（６）を付ける。
以上の構成により水道水循環型貯水タンクである。
【実用新案の効果】
【０００５】本実用新案は水道蛇口に接続する事により常に経年劣化の無い水道水を確保出来る。
【図面の簡単な説明】
【０００６】
【図１】本実用新案の斜視図である。
【図２】本実用新案の正面図である。
【図３】本実用新案の側面図である。
【図４】本実用新案の上面図である。
【図５】本実用新案の断面図である。
【実用新案を実施するための形態】
【０００７】以下、本実用新案を実施するための形態について説明する
塩ビ筒（１）の、上面に板（２）を溶接する、（２）に穴を２箇所明け、注排水用の細い筒（３）を溶接する底部に板（２）を溶接し（１）の底部近傍に座（５）を付け穴を明けネジをきる
そこに飲水用のミニコック（６）を付ける。
これを使用するときは上部の筒（３）の一方に蛇口からホースを結束金具で固定し一次側とし、もう一方の筒（３）にホースを結束金具で固定し、洗濯機や散水機等に接続し二次側とする、災害等で長期断水時には底部近傍にあるミニコック（６）より取水する。
【符号の説明】
【０００８】１  本体、塩ビ筒
２  本体上面、塩ビ板
３  ホース接続塩ビ筒
４  本体底面、塩ビ板
５  座
６  ミニコック
【図１】
0003179501.tif 000003
【図２】
0003179501.tif 000004
【図３】
0003179501.tif 000005
【図４】
0003179501.tif 000006
【図５】
0003179501.tif 000007
【手続補正書】
【提出日】平成24年4月24日(2012.4.24)
【手続補正１】
【補正対象書類名】実用新案登録請求の範囲
【補正対象項目名】全文
【補正方法】変更
【補正の内容】
【実用新案登録請求の範囲】
【請求項１】
室内外で水道水需要の有る洗濯機や散水器等であれば、簡便に上部のパイプにゴムホースで接続し設置、使用出来、筒状で強度が有り底部近傍に、コックの取り付けによりすぐに飲水出来る水道水循環型貯水タンクである。
【手続補正書】
【提出日】平成24年7月23日(2012.7.23)
【手続補正１】
【補正対象書類名】実用新案登録請求の範囲
【補正対象項目名】全文
【補正方法】変更
【補正の内容】
【実用新案登録請求の範囲】
【請求項１】
洗濯機や散水機等に接続し設置する筒状の水道水循環型貯水タンクであって、
両端部に四角形の板を張り上部に給排水用のホースを接続する筒を有し
底部近傍に飲水用コックを取り付ける座を有する事を特徴とする水道水循環型貯水タンク。
(57)【要約】      （修正有）【課題】地熱を利用して２４時間常時熱源の供給ができる風洞発電装置を提供する。【解決手段】風洞内下部に、銅製あるいはアルミニウム製のパイプを風洞内内周に螺旋状に敷設する。【選択図】図２
0003179506.tif 000002
【実用新案登録請求の範囲】
【請求項１】
本考案は、風洞式発電装置に、地熱（温水等）を利用することで、上昇気流の増大化とそれに伴う発電量の増大化を図るものである。
【考案の詳細な説明】
【技術分野】
【０００１】  本考案は、風洞発電装置に、地熱（温水等）を利用することで、上昇気流の増大化とそれに伴う発電量の増大化を図ることに関するものである。
【背景技術】
【０００２】  従来は上昇気流を増大させるため、太陽熱を利用したものもあった。
【先行技術文献】
【特許文献１】  特許公開２００７−７７９４１  広報
【考案の概要】
【考案が解決しようとする課題】
【０００３】  上昇気流を利用する風洞発電では、風洞内の気流は自然のままでは、あまり強い上昇気流は発生しない。また従来、上昇気流を増大させる方法として、太陽熱等を使用することも考案されていたが、昼間のみ利用可能で、夜間、雨天、曇天などでは利用できない等の問題があった。
【課題を解決するための手段】
【０００４】  本考案は、風洞式発電装置内に、地熱（温水等）を利用した導管を設置することで、上昇気流の増大化とそれに伴う発電量の増大化を図るものであり、天候等に左右されない安定した熱源の供給により発電量の安定化も図るものである。
考案の詳細を説明すると、垂直方向が長い１垂直風洞と水平方向が短い２水平風洞からなる、Ｌ型風洞を地中及び地上部に設置し、２水平風洞に３空気取り入れ口を設け、１垂直風洞の上端に４空気排出口を設ける。
２水平風洞の内部に、６ストレート型地熱（温水等）導管と７階段型温水地熱（温水等）導管とを組み合わせた地熱（温水等）導管を設置し、１垂直風洞内部には８螺旋型地熱（温水等）導管を設置する。
地下より汲み上げた地熱（温水等）を９温水ポンプによって各導管に送り出す。
６ストレート型温水地熱（温水等）導管、７階段型地熱（温水等）導管、８螺旋型地熱（温水等）導管を介して風洞内の空気を温め、膨張させ、上昇気流を増大させる装置である。
【考案の効果】
【０００５】  各導管を介して風洞内の空気が温められまた膨張することによって、上昇気流が増大して５風力発電機の発電量の増大化を図ることが出来る装置である。
また、本装置は地熱（温水等）を利用するので、２４時間常時熱源の供給ができるので、発電量も安定して出力させることができる。
【図面の簡単な説明】
【０００６】
【図１】本考案の垂直断面図である。
【図２】本考案の水平風洞内の水平断面図である
【符号の説明】
【０００７】１垂直風洞
２水平風洞
３空気取り入れ口
４空気排出口
５風力発電機
６ストレート型地熱（温水等）導管
７階段型地熱（温水等）導管
８螺旋型地熱（温水等）導管
９地熱（温水等）ポンプ
【図１】
0003179506.tif 000003
【図２】
0003179506.tif 000004
【手続補正書】
【提出日】平成24年8月16日(2012.8.16)
【手続補正１】
【補正対象書類名】実用新案登録請求の範囲
【補正対象項目名】全文
【補正方法】変更
【補正の内容】
【実用新案登録請求の範囲】
【請求項１】
風洞発電装置の風洞内下部に、銅製あるいはアルミニウム製等のパイプ（１０ｍｍ〜２０ｍｍ径）を、風洞の曲折部から水平方向に１〜５ｍ、垂直方向に１ｍ〜１０ｍの範囲で風洞内の内周に間断なく螺旋状に敷設し、地熱（温水等）を循環させて上昇気流の速度を速め、発電量の増大化を図る装置で、風洞発電装置に地熱（温水等）を組み合わせて利用することを特徴とする地熱利用風洞発電装置。
【手続補正２】
【補正対象書類名】明細書
【補正対象項目名】０００４
【補正方法】変更
【補正の内容】
【０００４】本考案は、風洞式発電装置内に、地熱（温水等）を利用した導管を設置することで、上昇気流の増大化とそれに伴う発電量の増大化を図るものであり、天候等に左右されない安定した熱源の供給により発電量の安定化も図るものである。
考案の詳細を説明すると、垂直方向が長い４垂直風洞と水平方向が短い９水平風洞からなる、Ｌ型風洞を地中及び地上部に設置し、９水平風洞に１０空気取り入れ口を設け、４垂直風洞の上端に３空気排出口を設ける。
９水平風洞の内部と４垂直風洞内部に、７螺旋型地熱（温水等）導管を設置する。
地下より８地熱（温水等）汲み上げポンプで汲み上げた地熱（温水等）を一旦６地熱（温水等）貯水タンクに溜めたのち、５地熱（温水等）循環ポンプによって導管に送り出し、水圧を１３圧力調整バルブによって調整する。
７螺旋型地熱（温水等）導管を介して風洞内の空気を温め、膨張させ、上昇気流を増大させる装置である。
【手続補正３】
【補正対象書類名】明細書
【補正対象項目名】０００５
【補正方法】変更
【補正の内容】
【０００５】各導管を介して風洞内の空気が温められまた膨張することによって、上昇気流が増大して１２風力発電機の発電量の増大化を図ることが出来る装置である。
また、本装置は地熱（温水等）を利用するので、２４時間常時熱源の供給ができるので、発電量も安定して出力させることができる。
【手続補正４】
【補正対象書類名】明細書
【補正対象項目名】０００６
【補正方法】変更
【補正の内容】
【０００６】
【図１】本考案の全体図である。
【図２】本考案の風洞内部図である
【手続補正５】
【補正対象書類名】明細書
【補正対象項目名】０００７
【補正方法】変更
【補正の内容】
【０００７】１風洞
２崖、切通し
３空気排出口
４垂直風洞
５地熱（温水等）循環ポンプ
６地熱（温水等）貯水タンク
７螺旋型地熱（温水等）導管
８地熱（温水等）汲み上げポンプ
９水平風洞
１０空気取入れ口
１１地熱（温水等）排出口
１２風力発電機
１３圧力調整バルブ
【手続補正６】
【補正対象書類名】図面
【補正対象項目名】全図
【補正方法】変更
【補正の内容】
【図１】
0003179506.tif 000005
【図２】
0003179506.tif 000006
(57)【要約】      （修正有）【課題】視覚及び触感に変化を持たせた携帯電話カバーを提供する。【解決手段】カバー表面の一部の柔軟素材充填部に柔軟素材を充填する。【選択図】図１
0003179508.tif 000002
【実用新案登録請求の範囲】
【請求項１】
柔軟な素材を表面一部に充填した携帯電話カバー。
【請求項２】
柔軟な素材を本体表面の一部分に充填し視覚的変化ないしは触感的変化、あるいはその両方を有した携帯電話カバー。
【考案の詳細な説明】
【技術分野】
【０００１】  本考案は、携帯電話に被せることのできるカバーに関するものである。
【背景技術】
【０００２】  携帯電話に被せることのできるカバーが存在する。これらは樹脂等で出来ており、携帯電話本体の衝撃や擦過傷よりの保護、指紋、手脂等の付着防止、及び使用者における差別化が可能である。これらカバーは表面に印刷等で意匠を施すことが可能である。
【考案の概要】
【考案が解決しようとする課題】
【０００３】  携帯電話用カバー表面には印刷等が施され、意匠の追加及び装飾を行うことが可能である。これらは平面的なものであり、カバー表面に起伏をつけ立体感を表現することができなかった。
【課題を解決するための手段】
【０００４】  本考案におけるカバーは、一部分に柔軟な素材を充填したシート様構造体を貼付し、立体的な形状を表現することができる。【０００５】  充填する柔軟素材にはゲル、スポンジ、液体などが利用できる。
【考案の効果】
【０００６】  カバー本体に柔軟素材充填部を有することにより視覚および触感の変化を実現できる。【０００７】  カバー表面の素材に印刷を施すことにより視覚的変化を実現できる。【０００８】  前記柔軟素材充填部の位置および形状、表面への印刷により例えば人体の胸部、果物、機器操作部分などを模擬的に再現することができる。【０００９】  表面に柔軟な素材が充填してあるため、落下時の衝撃の吸収が期待できる。
【実施例】
【００１０】  以下、添付図面に従って一実施例を説明する。１は本体、２は柔軟素材充填部を持つシート様構造体、３は柔軟素材充填部、４は充填された柔軟素材である。
【図面の簡単な説明】
【００１１】
【図１】本考案の柔軟素材充填部持つ携帯電話カバーの正面図である。
【図２】本考案の柔軟素材充填部持つ携帯電話カバーの側面図である。
【図３】本考案の柔軟素材充填部を以って人体胸部をを表現した携帯電話カバーの正面図である。
【図４】本考案の柔軟素材充填部を以って機器操作部分を表現した携帯電話カバーの正面図である。
【符号の説明】
【００１２】１    カバー本体
２    シート様構造体
３    柔軟素材充填部
４    柔軟素材
【図１】
0003179508.tif 000003
【図２】
0003179508.tif 000004
【図３】
0003179508.tif 000005
【図４】
0003179508.tif 000006
【手続補正書】
【提出日】平成24年8月17日(2012.8.17)
【手続補正１】
【補正対象書類名】実用新案登録請求の範囲
【補正対象項目名】全文
【補正方法】変更
【補正の内容】
【実用新案登録請求の範囲】
【請求項１】
柔軟な素材をカバー本体表面の一部の柔軟素材充填部に充填した携帯電話カバー。